(57)【要約】【課題】説明者のみに対してプレゼンテーションに係る時間情報を伝達する。【解決手段】プレゼンテーションシステム１００は、表示すべき画像を生成するコンピュータ１と、スクリーン４に画像を投影するプロジェクタ２と、リモコン装置３とを備えている。説明者５１は、リモコン装置３の操作により遠隔的な画像の表示指示が可能となっている。リモコン装置３は、プレゼンテーションの開始と同時に計時開始するタイマ、及び、振動を発生する振動モータを備えている。プレゼンテーションの実行中に、タイマの計時時間が画像を切り替えるべき時間になると振動モータが駆動される。これにより、説明者のみに対して画像を切り替えるべきタイミングが伝達される。【選択図】        図１
2005049434.tif 000002
【特許請求の範囲】
【請求項１】
複数の画像を切り替えて表示する表示手段を有するプレゼンテーションシステムであって、
ユーザ操作に応答して、前記表示手段に対する指示信号を発信するリモコン装置と、
プレゼンテーションに係る時間を計時する計時手段と、
を備え、
前記リモコン装置は、前記計時手段による計時時間の情報を前記リモコン装置を扱うユーザに伝達する伝達手段、
を備えることを特徴とするプレゼンテーションシステム。
【請求項２】
請求項１に記載のプレゼンテーションシステムにおいて、
前記計時手段は、前記指示信号の発信のためのユーザ操作に応答して、計時を開始することを特徴とするプレゼンテーションシステム。
【請求項３】
請求項２に記載のプレゼンテーションシステムにおいて、
前記計時手段が計時を開始する前記ユーザ操作は、プレゼンテーションの開始を指示する操作を含むことを特徴とするプレゼンテーションシステム。
【請求項４】
請求項２に記載のプレゼンテーションシステムにおいて、
前記計時手段が計時を開始する前記ユーザ操作は、表示する前記画像の切り替えを指示する操作を含むことを特徴とするプレゼンテーションシステム。
【請求項５】
請求項１ないし４のいずれかに記載のプレゼンテーションシステムにおいて、
表示する前記画像を切り替えるべき予定時間を記憶する手段、
をさらに備え、
前記伝達手段は、前記計時手段による計時時間及び前記予定時間に基づいて、表示する前記画像を切り替えるべきタイミングを前記ユーザに伝達することを特徴とするプレゼンテーションシステム。
【請求項６】
請求項１ないし５のいずれかに記載のプレゼンテーションシステムにおいて、
前記伝達手段は、振動を発生する振動手段であることを特徴とするプレゼンテーションシステム。
【請求項７】
請求項１ないし６のいずれかに記載のプレゼンテーションシステムにおいて、
前記リモコン装置は、
前記表示手段における表示対象画像に関連してあらかじめ設定したキーワードの転送を受けて取得する手段と、
前記表示手段における画像表示と同期して、当該画像に係るキーワードを前記リモコン装置上の画面に表示する手段と、
をさらに備えることを特徴とするプレゼンテーションシステム。
【請求項８】
複数の画像を切り替えて表示する表示手段を有するプレゼンテーションシステムに使用されるリモコン装置であって、
ユーザ操作に応答して、前記表示手段に対する指示信号を発信する発信手段と、
プレゼンテーションに係る時間を計時する計時手段と、
前記計時手段による計時時間の情報を前記リモコン装置を扱うユーザに伝達する伝達手段と、
を備えることを特徴とするリモコン装置。
【請求項９】
請求項８に記載のリモコン装置において、
前記計時手段は、前記指示信号の発信のためのユーザ操作に応答して、計時を開始することを特徴とするリモコン装置。
【請求項１０】
請求項９に記載のリモコン装置において、
前記計時手段が計時を開始する前記ユーザ操作は、プレゼンテーションの開始を指示する操作を含むことを特徴とするリモコン装置。
【請求項１１】
請求項９に記載のリモコン装置において、
前記計時手段が計時を開始する前記ユーザ操作は、表示する前記画像の切り替えを指示する操作を含むことを特徴とするリモコン装置。
【請求項１２】
請求項８ないし１１のいずれかに記載のリモコン装置において、
表示する前記画像を切り替えるべき予定時間の転送を受けて取得する手段、
をさらに備え、
前記伝達手段は、前記計時手段による計時時間及び前記予定時間に基づいて、表示する前記画像を切り替えるべきタイミングを前記ユーザに伝達することを特徴とするリモコン装置。
【請求項１３】
請求項８ないし１２のいずれかに記載のリモコン装置において、
前記伝達手段は、振動を発生する振動手段であることを特徴とするリモコン装置。
【請求項１４】
請求項８ないし１３のいずれかに記載のリモコン装置において、
前記表示手段における表示対象画像に関連してあらかじめ設定したキーワードの転送を受けて取得する手段と、
前記表示手段における画像表示と同期して、当該画像に係るキーワードを前記リモコン装置上の画面に表示する手段と、
をさらに備えることを特徴とするリモコン装置。
【発明の詳細な説明】
【０００１】
【発明の属する技術分野】
本発明は、複数の画像を切り替えて表示するプレゼンテーションシステムに関する。
【０００２】
【従来の技術】
説明会、発表会及び企画会議等の各種のプレゼンテーションにおいては、比較的大画面のスクリーンにプロジェクタにより画像を投影表示するなどのプレゼンテーションシステムが頻繁に利用される。プレゼンテーションシステムにおいては、複数の説明用の画像を任意のタイミングで切り替えて表示することが可能となっており、説明者は観衆（聞き手）に画像を提示しつつその内容を口述で説明する。
【０００３】
一般的なプレゼンテーションでは時間的な制約があることから、説明者は説明中に時間確認や時間調整などの時間管理をする必要がある。このような時間管理は、観衆に内容を伝達すべき説明者にとって困難な作業となる。このため従来より、経過時間、残時間等の時間情報を説明用の画像に重畳して表示して説明者に時間情報を伝達し、説明者の時間管理を容易に行なわせるプレゼンテーションシステムが提案されている（例えば、特許文献１参照。）。
【０００４】
【特許文献１】
特開２００１−１０９０６４号公報
【０００５】
【発明が解決しようとする課題】
しかしながら、上記のように時間情報を説明用の画像に重畳して表示した場合は、プレゼンテーションの観衆にも時間情報が与えられる。このため、プレゼンテーション本来の内容以外の不必要な情報が観衆に与えられることとなり、プレゼンテーションの効果を低減させるおそれがある。
【０００６】
本発明は、上記課題に鑑みてなされたものであり、説明者のみに対してプレゼンテーションに係る時間情報を伝達できる技術を提供することを目的とする。
【０００７】
【課題を解決するための手段】
上記課題を解決するため、請求項１の発明は、複数の画像を切り替えて表示する表示手段を有するプレゼンテーションシステムであって、ユーザ操作に応答して、前記表示手段に対する指示信号を発信するリモコン装置と、プレゼンテーションに係る時間を計時する計時手段と、を備え、前記リモコン装置は、前記計時手段による計時時間の情報を前記リモコン装置を扱うユーザに伝達する伝達手段、を備えている。
【０００８】
また、請求項２の発明は、請求項１に記載のプレゼンテーションシステムにおいて、前記計時手段は、前記指示信号の発信のためのユーザ操作に応答して、計時を開始する。
【０００９】
また、請求項３の発明は、請求項２に記載のプレゼンテーションシステムにおいて、前記計時手段が計時を開始する前記ユーザ操作は、プレゼンテーションの開始を指示する操作を含む。
【００１０】
また、請求項４の発明は、請求項２に記載のプレゼンテーションシステムにおいて、前記計時手段が計時を開始する前記ユーザ操作は、表示する前記画像の切り替えを指示する操作を含む。
【００１１】
また、請求項５の発明は、請求項１ないし４のいずれかに記載のプレゼンテーションシステムにおいて、表示する前記画像を切り替えるべき予定時間を記憶する手段、をさらに備え、前記伝達手段は、前記計時手段による計時時間及び前記予定時間に基づいて、表示する前記画像を切り替えるべきタイミングを前記ユーザに伝達する。
【００１２】
また、請求項６の発明は、請求項１ないし５のいずれかに記載のプレゼンテーションシステムにおいて、前記伝達手段は、振動を発生する振動手段である。
【００１３】
また、請求項７の発明は、請求項１ないし６のいずれかに記載のプレゼンテーションシステムにおいて、前記リモコン装置は、前記表示手段における表示対象画像に関連してあらかじめ設定したキーワードの転送を受けて取得する手段と、前記表示手段における画像表示と同期して、当該画像に係るキーワードを前記リモコン装置上の画面に表示する手段と、をさらに備えている。
【００１４】
また、請求項８の発明は、複数の画像を切り替えて表示する表示手段を有するプレゼンテーションシステムに使用されるリモコン装置であって、ユーザ操作に応答して、前記表示手段に対する指示信号を発信する発信手段と、プレゼンテーションに係る時間を計時する計時手段と、前記計時手段による計時時間の情報を前記リモコン装置を扱うユーザに伝達する伝達手段と、を備えている。
【００１５】
また、請求項９の発明は、請求項８に記載のリモコン装置において、前記計時手段は、前記指示信号の発信のためのユーザ操作に応答して、計時を開始する。
【００１６】
また、請求項１０の発明は、請求項９に記載のリモコン装置において、前記計時手段が計時を開始する前記ユーザ操作は、プレゼンテーションの開始を指示する操作を含む。
【００１７】
また、請求項１１の発明は、請求項９に記載のリモコン装置において、前記計時手段が計時を開始する前記ユーザ操作は、表示する前記画像の切り替えを指示する操作を含む。
【００１８】
また、請求項１２の発明は、請求項８ないし１１のいずれかに記載のリモコン装置において、表示する前記画像を切り替えるべき予定時間の転送を受けて取得する手段、をさらに備え、前記伝達手段は、前記計時手段による計時時間及び前記予定時間に基づいて、表示する前記画像を切り替えるべきタイミングを前記ユーザに伝達する。
【００１９】
また、請求項１３の発明は、請求項８ないし１２のいずれかに記載のリモコン装置において、前記伝達手段は、振動を発生する振動手段である。
【００２０】
また、請求項１４の発明は、請求項８ないし１３のいずれかに記載のリモコン装置において、前記表示手段における表示対象画像に関連してあらかじめ設定したキーワードの転送を受けて取得する手段と、前記表示手段における画像表示と同期して、当該画像に係るキーワードを前記リモコン装置上の画面に表示する手段と、をさらに備えている。
【００２１】
【発明の実施の形態】
＜１．構成＞
図１はこの発明の実施の形態に係るプレゼンテーションシステム１００の概要を示す概念図である。図１に示すように、プレゼンテーションシステム１００は、コンピュータ１とプロジェクタ２とを備えており、プロジェクタ２に対向して設置されるスクリーン４に画像を投影することによって説明用の画像の表示を行うように構成される。コンピュータ１は表示すべき画像の画像データをプロジェクタ２に出力するための装置であり、プロジェクタ２はコンピュータ１から入力される画像データに基づいて投影用の画像を生成してスクリーン４に投影する装置である。つまり、コンピュータ１とプロジェクタ２とによって、説明用の画像をスクリーン４上に表示する機能が実現される。
【００２２】
プレゼンテーションシステム１００は、プレゼンテーションに係る指示信号をコンピュータ１に対して発信可能なリモコン装置３を備えている。プレゼンテーションの説明者５１は、このリモコン装置３を操作することにより、スクリーン４に表示する説明用の画像の切替指示などを遠隔的に行なうことが可能となっている。
【００２３】
図２はプレゼンテーションシステム１００の機能構成を示す図である。図２に示すように、コンピュータ１は、各種の演算処理を行なうＣＰＵ１１、データ等を一時的に格納するＲＡＭ１２、基本プログラムを記憶するＲＯＭ１３、データやプログラムを格納するハードディスク１４、ＬＣＤやＣＲＴ等で構成される表示器１５、キーボードやマウス等の操作部１６、プロジェクタ２に対して画像データを出力する出力インタフェース１７、及び、リモコン装置３と無線通信を行なうための通信部１８を備えて構成される。通信部１８は、例えばＢｌｕｅｔｏｏｔｈ（Ｒ）規格に準拠した無線通信機能を有している。
【００２４】
また、プロジェクタ２は入力インタフェース２１と画像投影部２２とを備えて構成される。コンピュータ１から入力インタフェース２１を介して画像データが入力されると、画像投影部２２がその画像データに基づいて投影用画像を生成し、その投影用画像をスクリーン４に向けて投影する。
【００２５】
コンピュータ１のＣＰＵ１１は、所定のプログラムに従って演算処理を行なうことにより、通信部１８で受信したリモコン装置３からの指示信号に応答する制御機能や、表示用の画像データを処理する画像処理機能など、プレゼンテーション実行に係る各種機能を実現する。
【００２６】
また、コンピュータ１のハードディスク１４には、プレゼンテーションに使用するデータファイルであるプレゼンテーションファイル６が予め作成あるいは複製されて格納される。
【００２７】
図３は、プレゼンテーションファイル６が含むデータの構成を概念的に示す図である。図３に示すように、プレゼンテーションファイル６は、スクリーン４に表示するためのテキストや図面などで構成された複数のシート６１の画像情報、総予定時間６２の値、キーワード情報６３及び切替予定時間６４の値を含んでいる。
【００２８】
シート６１のそれぞれは、プレゼンテーション実行時の一の説明用の画像に相当するデータである。プレゼンテーション実行時には、シート６１のそれぞれが画像データに変換されてプロジェクタ２に入力され、プロジェクタ２により投影用の画像に変換されてスクリーン４に表示される。これら複数のシート６１のそれぞれには表示順位が設定されており、プレゼンテーション実行時には基本的に表示順位に従って、表示されるシート６１が順次切り替えられる。
【００２９】
また、複数のシート６１のそれぞれには、固有のキーワード情報６３及び切替予定時間６４が関連付けられている。キーワード情報６３は、当該シート６１の内容の特徴を表す複数あるいは単数のキーワードから構成される。一方、切替予定時間６４は、当該シート６１を次順のシート６１に切り替えるべきタイミング（プレゼンテーションの開始時点からの時間）を示すものである。
【００３０】
また、総予定時間６２は、プレゼンテーションを終了すべきタイミング（プレゼンテーションの開始時点からの時間）を示すものである。総予定時間６２及び切替予定時間６４は、コンピュータ１の操作部１６を介した手入力で任意の時間に設定することが可能であるが、後述するリハーサルを実行することによって自動的に設定することも可能となっている。
【００３１】
図４は、リモコン装置３の外観構成を示す図である。図４に示すように、リモコン装置３はその前面に、各種情報を表示するディスプレイ３５と、ユーザ操作を受け付ける操作ボタン（開始終了ボタン４１、リハーサルボタン４２、次ボタン４３、前ボタン４４及びポインタボタン４５）とを備え、またその内部に、振動を発生してリモコン装置３全体を振動させる振動モータ３７と、コンピュータ１と無線通信を行なうための通信部３８と、レーザ光３９ａを発する発光部３９とを備えて構成されている。
【００３２】
通信部３８は、コンピュータ１の通信部１８と同様、例えばＢｌｕｅｔｏｏｔｈ（Ｒ）規格に準拠した無線通信機能を有している。これにより、リモコン装置３とコンピュータ１とは、プレゼンテーションに係る指示信号を含む各種信号やデータの送受信が可能とされている。
【００３３】
操作ボタン４１〜４４のうち、開始終了ボタン４１、リハーサルボタン４２、次ボタン４３及び前ボタン４４は、プレゼンテーションに係る指示信号の発信のためのユーザ操作を受け付けるものである。すなわち、これらの操作ボタン４１〜４３が押下された場合は、通信部３８からコンピュータ１に対して指示信号が発信される。
【００３４】
開始終了ボタン４１は、プレゼンテーションの開始指示／終了指示を受け付ける。プレゼンテーションの未実行時に開始終了ボタン４１が押下された場合は、プレゼンテーションの開始指示が受け付けられ、一方、プレゼンテーションの実行時に開始終了ボタン４１が押下された場合は、プレゼンテーションの終了指示が受け付けられる。開始終了ボタン４１は、押下が所定時間以上継続された場合（いわゆる「長押し」の場合）のみ指示を受け付け、誤操作を防止するようになっている。
【００３５】
また、プレゼンテーションの未実行時に、リハーサルボタン４２が押下されつつ開始終了ボタン４１が押下された場合は、切替予定時間及び総予定時間を設定するためのリハーサルの開始指示が受け付けられる。さらに、リハーサルの実行時に、開始終了ボタン４１が押下された場合は、リハーサルの終了指示が受け付けられる。
【００３６】
次ボタン４３は、表示するシートを次順のシートに切り替える指示を受け付け、前ボタン４４は、表示するシートを前順のシートに切り替える指示を受け付ける。
【００３７】
また、ポインタボタン４５は、レーザ光３９ａの発光指示を受け付けるものであり、ポインタボタン４５が押下されている間、発光部３９からレーザ光３９ａが発光される。このレーザ光３９ａは、スクリーン４の画面上の位置を指し示す指標として利用される。つまり、リモコン装置３は、レーザポインタとしての機能も有している。
【００３８】
図５は、リモコン装置３の機能構成を示す図である。リモコン装置３はその内部に、装置各部を制御するための制御部３０を備えている。制御部３０は、各種の演算処理を行なうＣＰＵ３１、データ等を一時的に格納するＲＡＭ３２、ファームウェアとしてのプログラムを記憶するＲＯＭ３３、及び、計時機能を有するタイマ３４を備えている。
【００３９】
制御部３０には、上述したディスプレイ３５、操作部３６（開始終了ボタン４１、リハーサルボタン４２、次ボタン４３及び前ボタン４４を一の機能ブロックとして示したもの）、振動モータ３７及び通信部３８が電気的に接続される。ＣＰＵ３１は、ＲＯＭ３３に記憶されたプログラムに従って演算処理を行なうことにより、リモコン装置３の各部の制御機能や、プレゼンテーションに係る各種機能を実現する。なお、発光部３９及びポインタボタン４５は、相互に電気的に接続され、上述した制御部３０に係る電気系統とは独立した電気系統として構成されている。
【００４０】
＜２．動作＞
次に、プレゼンテーションシステム１００の動作について説明する。プレゼンテーションシステム１００では、リモコン装置３のユーザ操作に応答して動作がなされるため、以下ではリモコン装置３の処理を主に説明する。
【００４１】
図６は、リモコン装置３の基本的な処理の流れを示す図である。リモコン装置３は、開始終了ボタン４１が押下されるまでは処理を待機し、開始終了ボタン４１が押下されると処理を開始する（ステップＳ１）。そして、開始終了ボタン４１の押下時点において、リハーサルボタン４２が同時に押下されていた場合は（ステップＳ２にて「Ｙｅｓ」）、コンピュータ１でリハーサルを実行させるリハーサル処理がなされる（ステップＳ３）。一方、リハーサルボタンが押下されていなかった場合は（ステップＳ２にて「Ｎｏ」）、コンピュータ１でプレゼンテーションを実行させるプレゼン処理がなされる（ステップＳ４）。以下、リハーサル処理及びプレゼン処理それぞれの詳細について説明する。
【００４２】
＜２−１．リハーサル処理＞
まず、リハーサル処理（図６：ステップＳ３）について説明する。図７は、リハーサル処理の流れを示す図である。図７において符号Ｐ３はリモコン装置３のＣＰＵ３１の制御下でなされる処理を示し、符号Ｐ１はコンピュータ１のＣＰＵ１１の制御下でなされる処理を示している。
【００４３】
リハーサル処理ではまず、リハーサルの開始を指示するリハーサル開始信号が、リモコン装置３からコンピュータ１に送信される（ステップＳ３１）。この指示信号に応答して、コンピュータ１はリハーサルを開始する。すなわち、ハードディスク１４からプレゼンテーションファイル６が読み出され、表示順序の先頭に設定されたシートが画像データに変換されてスクリーン４に表示される（ステップＳ１１）。なお以下、その時点で表示に供されるシートを「表示シート」と呼ぶ。
【００４４】
次に、リモコン装置３のタイマ３４により計時が開始される。このタイマ３４の計時時間は、リハーサル開始時点からの経過時間となる（ステップＳ３２）。
【００４５】
次に、リモコン装置３は、ユーザ操作を待機する状態となる（ステップＳ３３）。この状態においてユーザ（プレゼンテーションの説明予定者）は、スクリーン４に表示された画像（シート）を参照しつつ、実際のプレゼンテーションを想定した操作（次ボタン４３あるいは開始終了ボタン４１の押下）を任意のタイミングで行なう。なお、リハーサル処理中では前ボタン４４は非能動化される。
【００４６】
この状態で次ボタン４３が押下されると（ステップＳ３４にて「次ボタン」）、タイマ３４から押下時点の計時時間が取得され、その計時時間が表示シートについての切替予定時間として設定される（ステップＳ３５）。設定された切替予定時間は、コンピュータ１に送信され（ステップＳ３６）、コンピュータ１にて表示シートに関連付けられて記録される（ステップＳ１２）。
【００４７】
次に、表示シートを次順のシートに切り替える指示信号となる第１切替信号が、リモコン装置３からコンピュータ１に送信される（ステップＳ３７）。この指示信号に応答し、コンピュータ１では表示シートの次順のシートが読み出されて画像データに変換されてスクリーン４に表示され、表示シートが次順のシートに切り替えられる（ステップＳ１３）。また、リモコン装置３は、ユーザ操作を待機する状態に戻る（ステップＳ３３）。以上のようにして、一のシートについての切替予定時間が設定されるが、以降、表示シートを切り替えつつ同様の処理が繰り返されることで、表示順最終のシートを除く全てのシートについての切替予定時間が設定される。
【００４８】
表示順最終のシートが表示シートのときは、ユーザは任意のタイミングで開始終了ボタン４１を押下する（ステップＳ３４にて「開始終了ボタン」）。この開始終了ボタン４１の押下に応答して、タイマ３４の計時が終了される（ステップＳ３８）。そして、その計時時間が表示シートについての切替予定時間として設定されるとともに、総予定時間としても設定される（ステップＳ３９）。設定された切替予定時間及び総予定時間はコンピュータ１に送信され（ステップＳ４０）、コンピュータ１にて、切替予定時間は表示シートに関連付けられて記録され、総予定時間はプレゼンテーションファイル６のデータとして記録される（ステップＳ１４）。
【００４９】
次に、リハーサルの終了を指示するリハーサル終了信号が、リモコン装置３からコンピュータ１に送信される（ステップＳ４１）。この指示信号に応答して、コンピュータ１はリハーサルを終了する（ステップＳ１５）。以上のようにして、リハーサルでは、総予定時間及び全シートの切替予定時間が設定される。
【００５０】
＜２−２．プレゼン処理＞
次に、プレゼン処理（図６：ステップＳ４）について説明する。図８ないし図１０は、プレゼン処理の流れを示す図である。図８ないし図１０においても、符号Ｐ３はリモコン装置３のＣＰＵ３１の制御下でなされる処理を示し、符号Ｐ１はコンピュータ１のＣＰＵ１１の制御下でなされる処理を示している。
【００５１】
プレゼン処理ではまず、プレゼンテーションの開始を指示するプレゼン開始信号が、リモコン装置３からコンピュータ１に送信される（ステップＳ５１）。この指示信号に応答して、コンピュータ１はプレゼンテーションを開始する。すなわち、ハードディスク１４からプレゼンテーションファイル６が読み出され、表示順序の先頭に設定されたシートが画像データに変換されてスクリーン４に表示される（ステップＳ２１）。
【００５２】
次に、コンピュータ１において、プレゼンテーションファイル６から総予定時間、ならびに、表示シートに係る切替予定時間及びキーワード情報が取得され、リモコン装置３に送信される（ステップＳ２２）。これらの情報（総予定時間、切替予定時間及びキーワード情報）は、リモコン装置３に転送されてリモコン装置３のＲＡＭ３２に記憶される（ステップＳ５２）。
【００５３】
次に、リモコン装置３のタイマ３４により計時が開始される。つまり、プレゼンテーションの開始を指示する操作に応答して計時が開始される。プレゼン処理においては、トータル時間とシート時間との２種類の時間が計時されるようになっており、このとき双方の計時が開始される。トータル時間は、プレゼンテーションの開始時点からの経過時間であり、シート時間は表示シートの表示が開始された時点からの経過時間である（ステップＳ５３）。
【００５４】
次に、プレゼンテーションに係る時間情報、及び、表示シートの画像に関連してあらかじめ設定されたキーワードがディスプレイ３５に表示される（ステップＳ５４）。図１１は、ディスプレイ３５の表示例を示す図である。プレゼンテーションの実行中には、ディスプレイ３５に図１１に示すような画面がプロジェクタ２による画像表示と同期して表示される。
【００５５】
図に示すように、ディスプレイ３５の画面上部には、シート時間Ｔ１、トータル時間Ｔ２、切替予定時間Ｔ３、切替残時間Ｔ４、総予定時間Ｔ５、及び、残時間Ｔ６の６つの時間情報が表示される。
【００５６】
上述したように、シート時間Ｔ１は表示シートが表示された時点からの経過時間、トータル時間Ｔ２はプレゼンテーションの開始時点からの経過時間であり、これらはタイマ３４の計時結果がそのまま表示される。
【００５７】
切替予定時間Ｔ３は、表示シートを次順のシートに切り替えるべきタイミング（プレゼンテーションの開始時点からの時間）を示すもので、コンピュータ１から受信してＲＡＭ３２に記憶された切替予定時間が表示される。また、切替残時間Ｔ４は、切替予定時間Ｔ３までの残り時間であり、切替予定時間Ｔ３からトータル時間Ｔ２を減じた結果が表示される。
【００５８】
総予定時間Ｔ５は、プレゼンテーションを終了すべきタイミング（プレゼンテーションの開始時点からの時間）を示すもので、コンピュータ１から受信してＲＡＭ３２に記憶された総予定時間が表示される。また、残時間Ｔ６は、総予定時間Ｔ５までの残り時間であり、総予定時間Ｔ５からトータル時間Ｔ２した結果が表示される。
【００５９】
このような時間情報の表示により、リモコン装置３を扱うユーザたる説明者にプレゼンテーションに係る時間情報が伝達される。説明者は、これらの時間情報を適宜参照することにより、プレゼンテーションの時間管理を容易に行なうことができ、スケジュール通りにプレゼンテーションを進行させることができる。
【００６０】
また、ディスプレイ３５の画面下部には、キーワードＫが表示される。これらのキーワードＫは、コンピュータ１から受信してＲＡＭ３２に記憶されたキーワード情報であり、表示シートの内容の特徴を表すこととなる。説明者は、このようなキーワードＫを適宜参照することにより、説明漏れを無くすことができるとともに、スムーズにプレゼンテーションを進行させることができる。
【００６１】
図８に戻り、ディスプレイ３５に時間情報及びキーワードが表示されると（ステップＳ５４）、リモコン装置３は、ユーザ操作を待機する状態となる（ステップＳ５６）。この待機中においては、ディスプレイ３５の時間情報を更新するなどの時間情報処理がなされる（ステップＳ５５）。この状態において説明者は、任意のタイミングで、次ボタン４３、前ボタン４４あるいは開始終了ボタン４１の操作を行なうことができる。
【００６２】
この状態で次ボタン４３が押下されると（ステップＳ５７にて「次ボタン」）、表示シートを次順のシートに切り替える指示信号となる第１切替信号が、リモコン装置３からコンピュータ１に送信される（図９：ステップＳ６１）。この指示信号に応答し、コンピュータ１では表示シートの次順のシートが読み出されて画像データに変換されてスクリーン４に表示され、表示シートが次順のシートに切り替えられる（ステップＳ２４）。
【００６３】
次に、コンピュータ１において、新たに表示された表示シートに係る切替予定時間及びキーワード情報が情報記憶手段としてのハードディスク１４から取得され、リモコン装置３に送信される（ステップＳ２５）。これらの情報（切替予定時間及びキーワード情報）は、リモコン装置３が受信することによって転送を受けリモコン装置３のＲＡＭ３２に記憶される（ステップＳ６２）。
【００６４】
次に、表示シートが更新されたため、シート時間がリセットされた後、シート時間の計時が再度開始される（ステップＳ６３）。つまり、表示するシート（画像）の切り替えを指示する操作に応答して計時が開始される。これとともに、ディスプレイ３５の画面下部の表示が、新たな表示シートに係るキーワードに更新される（ステップＳ６４）。その後、リモコン装置３は、ユーザ操作を待機する状態に戻る（図８：ステップＳ５６）。
【００６５】
また、ステップＳ５６の状態で前ボタン４４が押下されると（ステップＳ５７にて「前ボタン」）、表示シートを前順のシートに切り替える指示信号となる第２切替信号が、リモコン装置３からコンピュータ１に送信される（図１０：ステップＳ７１）。この指示信号に応答し、コンピュータ１では表示シートの前順のシートが読み出されて画像データに変換されてスクリーン４に表示され、表示シートが前順のシートに切り替えられる（ステップＳ２６）。
【００６６】
次に、コンピュータ１において、新たに表示された表示シートに係る切替予定時間及びキーワード情報が取得され、リモコン装置３に送信される（ステップＳ２７）。これらの情報（切替予定時間及びキーワード情報）は、リモコン装置３に転送されてリモコン装置３のＲＡＭ３２に記憶される（ステップＳ７２）。
【００６７】
次に、表示シートが更新されたため、シート時間がリセットされた後、シート時間の計時が再度開始される（ステップＳ７３）。つまり、表示するシート（画像）の切り替えを指示する操作に応答して計時が開始される。これとともに、ディスプレイ３５の画面下部の表示が、新たな表示シートに係るキーワードに更新される（ステップＳ７４）。その後、リモコン装置３は、ユーザ操作を待機する状態に戻る（図８：ステップＳ５６）。
【００６８】
また、ステップＳ５６の状態で開始終了ボタン４１が押下されると（ステップＳ５７にて「開始終了ボタン」）、タイマ３４の計時が終了され（ステップＳ５８）、プレゼンテーションの終了を指示するプレゼン終了信号が、リモコン装置３からコンピュータ１に送信される（ステップＳ５９）。この指示信号の受信に応答して、コンピュータ１はプレゼンテーションを終了する（ステップＳ２３）。
【００６９】
以上のようにプレゼンテーションシステム１００においては、リモコン装置３のディスプレイ３５に時間情報が表示され、説明者に時間情報が伝達されるようになっているが、説明者にはさらに、表示シートを切り替えるべきタイミングが振動によって伝達されるようになっている。このタイミングの伝達は、ユーザ操作を待機中の時間情報処理（図８：ステップＳ５５）においてなされる。
【００７０】
図１２は、時間情報処理の詳細な流れを示す図である。時間情報処理においては、まず、タイマ３４の計時時間、及び、ＲＡＭ３２に記憶された時間情報に基づいて、ディスプレイ３５の画面上部に表示される時間情報（図１１参照）が更新される（ステップＳ８１）。
【００７１】
次に、トータル時間がＲＡＭ３２に記憶された切替予定時間を超過したか否かが判定される（ステップＳ８２）。そして、トータル時間が切替予定時間を超過した場合、すなわち、表示シートを切り替えるべきタイミングとなった場合は、振動モータ３７が一定時間駆動され、リモコン装置３の全体が振動する。これにより、リモコン装置３を把持するユーザたる説明者に、表示シートを切り替えるべきタイミングが振動（非音声振動）によって伝達される（ステップＳ８３）。したがって、説明者は、表示を参照するなどの意識的な行動をしなくとも表示シートを切り替えるべきタイミングを把握することができ、プレゼンテーションの時間管理をさらに容易に行なうことができる。
【００７２】
以上説明したように、プレゼンテーションシステム１００においては、リモコン装置３のディスプレイ３５の表示、及び、リモコン装置３の振動モータ３７による振動によってプレゼンテーションに係る時間情報が説明者に伝達される。したがって、説明者のみに時間情報を確実に伝達することができ、観衆に不必要な情報を与えることもない。
【００７３】
＜３．変形例＞
以上、本発明の実施の形態について説明してきたが、この発明は上記実施の形態に限定されるものではなく様々な変形が可能である。
【００７４】
例えば、上記実施の形態では、表示シートを切り替えるべきタイミングを振動によって説明者に伝達していたが、リモコン装置３による所定の記号や文字の表示、ＬＥＤの発光、及び、所定音声の発生などによって該タイミングを伝達してもよい。ただし、説明者が意識しなくとも確実に、かつ、説明者のみに該タイミングを伝達するには、上記実施の形態のように振動（非音声振動）によって伝達することが好ましい。また、表示シートを切り替えるべきタイミングの伝達手法を、スイッチ等によって選択できるようになっていてもよく、伝達機能そのものをスイッチ等によって非能動化できるようになっていてもよい。
【００７５】
また、上記実施の形態では、リモコン装置３は、表示シートを切り替える毎に切替予定時間及びキーワード情報をコンピュータ１から取得するようになっているが、全シートに係る切替予定時間及びキーワード情報をコンピュータ１から予め一括してオンライン転送させ、ＲＡＭ３２に記憶しておくようにしてもよい。また、リモコン装置３がメモリカード等の着脱自在な可搬性記録媒体の読取装置を備えて構成される場合は、オフライン転送も可能である。すなわち、そのような可搬性記憶媒体をコンピュータ１にセットして全シートに係る切替予定時間及びキーワード情報をこの可搬性記憶媒体に取り込んだ後、当該可搬性記録媒体をリモコン装置３にセットしてこの可搬性記録媒体から全シートに係る切替予定時間及びキーワード情報を読み出して、ＲＡＭ３２に記憶するようにしてもよい。
【００７６】
また、上記実施の形態ではリモコン装置３のタイマ３４によって計時を行なっていたが、コンピュータ１が計時手段を備えて構成される場合は、コンピュータ１によって計時を行ない、計時結果がコンピュータ１からリモコン装置３に送信されてもよい。
【００７７】
また、上記実施の形態では、プレゼンテーションの説明用の画像をプロジェクタ２がスクリーン４に投影表示するものであったが、コンピュータ１が直接的にＬＣＤ、ＰＤＰ及びＣＲＴなどのディスプレイに説明用の画像を表示するものであってもよい。
【００７８】
【発明の効果】
以上、説明したように、請求項１ないし１４の発明によれば、リモコン装置が計時時間の情報の伝達手段を有しているため、リモコン装置を扱うユーザたる説明者のみに対してプレゼンテーションに係る計時時間の情報を伝達できる。その結果、説明者がプレゼンテーションの時間管理を容易に行なうことができ、スケジュール通りにプレゼンテーションを進行させることができる。
【００７９】
また、特に請求項２および９の発明によれば、ユーザからの指示がなされてからの経過時間を正確に計時できる。
【００８０】
また、特に請求項３および１０の発明によれば、プレゼンテーションの開始からの経過時間を計時できる。
【００８１】
また、特に請求項４および１１の発明によれば、画像を切り替えてからの経過時間を計時できる。
【００８２】
また、特に請求項５および１２の発明によれば、説明者に表示する画像を切り替えるべきタイミングを伝達するため、説明者がプレゼンテーションの時間管理をさらに容易に行なうことができる。
【００８３】
また、特に請求項６および１３の発明によれば、伝達手段が振動を発生するものであるため、説明者が意識しなくとも、プレゼンテーションに係る計時時間の情報を説明者のみに効果的に伝達できる。
【００８４】
また、特に請求項７および１４の発明によれば、リモコン装置を扱うユーザたる説明者が、表示中の画像に係るキーワードを適宜確認できるため、スムーズにプレゼンテーションを進行させることができる。
【図面の簡単な説明】
【図１】プレゼンテーションシステムの概要を示す概念図である。
【図２】プレゼンテーションシステムの機能構成を示す図である。
【図３】プレゼンテーションファイルが含むデータの構成を概念的に示す図である。
【図４】リモコン装置の外観構成を示す図である。
【図５】リモコン装置の機能構成を示す図である。
【図６】リモコン装置の基本的な処理の流れを示す図である。
【図７】リハーサル処理の流れを示す図である。
【図８】プレゼン処理の流れを示す図である。
【図９】プレゼン処理の流れを示す図である。
【図１０】プレゼン処理の流れを示す図である。
【図１１】ディスプレイの表示例を示す図である。
【図１２】時間情報処理の詳細な流れを示す図である。
【符号の説明】
１      コンピュータ
２      プロジェクタ
３      リモコン装置
４      スクリーン
３４      タイマ
３５      ディスプレイ
３６      操作部
３７      振動モータ
【図１】
2005049434.tif 000003
【図２】
2005049434.tif 000004
【図３】
2005049434.tif 000005
【図４】
2005049434.tif 000006
【図５】
2005049434.tif 000007
【図６】
2005049434.tif 000008
【図７】
2005049434.tif 000009
【図８】
2005049434.tif 000010
【図９】
2005049434.tif 000011
【図１０】
2005049434.tif 000012
【図１１】
2005049434.tif 000013
【図１２】
2005049434.tif 000014